(57)【特許請求の範囲】
【請求項１】
撮像手段で撮影した被写体像の画像信号及び／又は外部から入力した画像信号を着脱自在に内蔵させた記録媒体に記録すると共に、前記記録媒体に記録した画像信号を再生する記録／再生ユニットを本体部内に取り外し可能に複数装着した撮像装置において、
前記複数の記録／再生ユニットを、個別にマニュアルモードで作動させるか、又は、所定の方式によるオートモードで作動させるかを選択するモード選択ボタンと、
前記複数の記録／再生ユニットを前記マニュアルモードで作動させる際に、作動させたい所望の記録／再生ユニットを指定するユニット指定ボタンと、
前記複数の記録／再生ユニットを前記オートモードで作動させる際に、前記複数の記録／再生ユニットをパラレル記録させるパラレル記録用ボタン、前記複数の記録／再生ユニットをシリーズ記録させるシリーズ記録用ボタン、及び、前記複数の記録／再生ユニット間を編集記録させる編集記録用ボタンとを少なくとも備えたことを特徴とする撮像装置。
【発明の詳細な説明】
【０００１】
【発明の属する技術分野】
本発明は、画像信号の記録／再生および被写体の撮像を適宜組み合わせて行い得る複数の記録／再生ユニットを有する撮像装置に関する。
【０００２】
【従来の技術】
例えば、現場での取材等のために被写体を撮像して記録再生する装置として、民生用では一般にビデオムービーが使用され、業務用ではカメラ一体型ＶＴＲまたはカメラドッカブルＶＴＲ等が使用されている。これらの装置は簡単に被写体を撮像して記録再生することができ、非常に有益なものであるが、単にカメラで撮影した画像をビデオテープに記録したり、ビデオテープに記録された画像を再生するだけのものである。
【０００３】
このような装置においては、単に画像の撮影、記録、再生のみでなく、撮像した画像を確実に記録するために通常の記録以外にバックアップ記録も容易に行い得ることが望ましいとともに、また１本のビデオテープでは記録時間が足りないような長時間記録も簡単に行えることが非常に必要である。更に、撮像した画像やビデオテープに記録した画像を編集する機能等もあることが好ましい。
【０００４】
【発明が解決しようとする課題】
従来の装置においては、上述したバックアップ記録を簡単に行うことができず、そのためにはわざわざ別の場所に別の記録装置を設けなければならないという煩雑な手順を必要とするという問題がある。
【０００５】
また、ビデオテープ等の記録媒体の記録可能時間を超える記録を連続的に行いたい場合には、複数のカメラシステムを使用したり、または複数のカメラシステム以外の記録装置を使用しなければならず、画像の連続的記録を簡単かつ円滑に行うことができない問題がある。
【０００６】
更に、記録した画像信号を簡単に編集することができず、そのためには別の編集装置を使用して、別の場所で別の時間に行うことが必要であり、煩雑であるという問題がある。
【０００７】
本発明は、上記に鑑みてなされたもので、その目的とするところは、複数の記録／再生ユニットを設けることにより、撮像手段を含むこれらの間で画像信号のバックアップ記録、長時間連続記録を含む種々の画像処理を簡単に行い得る複数の記録／再生ユニットを有する撮像装置を提供することにある。
【０００８】
【課題を解決するための手段】
上記目的を達成するため、請求項１記載の本発明は、撮像手段で撮影した被写体像の画像信号及び／又は外部から入力した画像信号を着脱自在に内蔵させた記録媒体に記録すると共に、前記記録媒体に記録した画像信号を再生する記録／再生ユニットを本体部内に取り外し可能に複数装着した撮像装置において、
前記複数の記録／再生ユニットを、個別にマニュアルモードで作動させるか、又は、所定の方式によるオートモードで作動させるかを選択するモード選択ボタンと、
前記複数の記録／再生ユニットを前記マニュアルモードで作動させる際に、作動させたい所望の記録／再生ユニットを指定するユニット指定ボタンと、
前記複数の記録／再生ユニットを前記オートモードで作動させる際に、前記複数の記録／再生ユニットをパラレル記録させるパラレル記録用ボタン、前記複数の記録／再生ユニットをシリーズ記録させるシリーズ記録用ボタン、及び、前記複数の記録／再生ユニット間を編集記録させる編集記録用ボタンとを少なくとも備えたことを特徴とする撮像装置である。
【００３６】
【発明の実施の形態】
以下、図面を用いて本発明の実施の形態について説明する。図１（ａ）は、本発明の一実施形態に係る複数の記録／再生ユニットを有する撮像装置の構成を示す斜視図である。本実施形態の撮像装置は、横長の直方体構造の本体部１を有し、該本体部１の一端には制御部３が取り付けられ、この制御部３にはカメラレンズ５が取り付けられている。制御部３は、後述するカメラヘッド、カメラコントロールユニット、システムコントローラ等を内蔵している。本体部１の他端にはバッテリ７が取り付けられ、上面にはオペレーションパネル９が取り付けられている。
【００３７】
また、本体部１内には、複数の、本実施形態では３個のドライブユニット１１ａ，１１ｂ，１１ｃが本体部１の一方の側面から取り外し可能に装着されている。ドライブユニット１１ａ，１１ｂ，１１ｃは、本発明の記録／再生ユニットを構成するものであり、ビデオテープ等からなる記録媒体１５ａ，１５ｂ，１５ｃをそれぞれ装脱可能に内蔵するとともに、該記録媒体１５への画像信号の記録を行う記録処理部、記録媒体１５からの画像信号の再生を行う再生処理部、記録媒体１５を作動させる駆動部、これらの各部を制御するユニット制御部等をそれぞれ有する。なお、記録媒体１５は、ビデオテープに限るものでなく、画像信号および音声信号等を記録および再生することができる機能を有するものであれば、どのような記録媒体でも使用することができるものである。
【００３８】
各ドライブユニット１１は、図１（ｂ）に本体部１から取り出された状態の斜視図として示されているように、記録媒体１５が簡単に取り出されないように記録媒体１５をカバーしている蓋部１７を前側に備えている。この蓋部１７は記録媒体１５が記録／再生処理等で使用中にあって取り出し不可能である場合には記録媒体１５を取り出し得ないように記録媒体１５が挿入されている挿入部の入口を覆い、記録媒体１５を保護するとともに、また該記録媒体１５を塵等から保護するようになっている。
【００３９】
各ドライブユニット１１の蓋部１７には、イジェクトボタン２１が設けられ、該イジェクトボタン２１を操作することにより記録媒体１５を取り出すことができる。イジェクトボタン２１は蓋部１７に関連して取り付けられ、不必要に記録媒体１５がドライブユニット１１から排出されたり、または装填されたりしないようにしている。また、蓋部１７の下方部にはユニット制御端子２３、ビデオ入力端子２５、ビデオ出力端子２７、オーディオ入力端子２９およびオーディオ出力端子３１が取り付けられている。
【００４０】
なお、各ドライブユニット１１の挿入部、すなわち受容部には、ドライブユニット１１のみでなく、ドライブユニット１１に代わって、記録信号の処理／加工ユニット、切り替えユニット、信号発生器、システム制御器、異種記録メディア記録／再生ユニット、ドライブユニットコントロールユニット等も搭載可能であり、更に本撮像装置を編集システムとして作動させるために、ドライブ系の変換システムを搭載することも可能である。
【００４１】
また、図１（ａ）に戻って、本体部１の他方の側面にはビューファインダー３３が取り付けられ、カメラで撮像した画像またはドライブユニット１１の再生記録部で再生した画像がビューファインダー３３に表示して確認し得るようになっている。更に、カメラレンズ５の下方の制御部３の前面側にはメイントリガースイッチ３５およびサブトリガースイッチ３７が設けられている。メイントリガースイッチ３５およびサブトリガースイッチ３７はドライブユニット１１への記録を開始させるためのスイッチである。メイントリガースイッチ３５は通常の記録を開始させるためのスイッチであるが、サブトリガースイッチ３７は高速度記録等を開始させるためのスイッチである。
【００４２】
更に、本体部１の一方の側面の前寄りのドライブユニット１１ｃの下方には本撮像装置の電源スイッチ３９が設けられている。また、本体部１の同じ一方の側面のバッテリ７に近寄った下方にはオーディオ入力端子４１、オーディオ出力端子４３、ビデオ入力端子４５、カメラ信号出力端子４７、システムリモコン入力端子４９、外部電源入力端子５１が取り付けられている。
【００４３】
本撮像装置の本体部１の上面に取り付けられているオペレーションパネル９は、図２に示すように、種々の操作ボタン、表示ランプ、およびディスプレイ等を有する。操作ボタンとしては、複数のドライブユニット１１を個別にマニュアルで作動させるかまたは所定の方式でシステム的に作動させるかを切り替えるモード選択ボタン（ＭＯＤＥ  ＳＥＬＥＣＴ）、オートモードではどのモードで作動させるかを指定するモード設定ボタン（ＭＯＤＥ：Ｍ−１，Ｍ−２，Ｍ−３，Ｍ−４）、マニュアルでどのドライブユニット１１を作動させるのかを指定するユニット指定ボタン（Ｕ−１，Ｕ−２，Ｕ−３）、各ドライブユニット１１の動作を指定する記録再生操作用オペレーションボタン（ＯＰＥＲＡＴＩＯＮ）、本撮像装置の動作を開始させるためのスタートボタン（ＳＴＡＲＴ）等がある。また、表示ランプとしては、どのドライブユニット１１が検出または選択され、動作しているかを示すユニット検出ランプ（ＵＮＩＴ  ＤＥＴＥＣＴ）がある。ディスプレイ（ＤＩＳＰＬＡＹ）は３つのドライブユニット１１ａ，１１ｂ，１１ｃに対して共通に使用され、本撮像装置の状態、モード状態、各ドライブユニット１１の動作状態、記録媒体１５の状態、電源の状態、ドライブユニット１１の検出等が表示されるようになっている。個々のドライブユニット１１を作動させるには、モード選択ボタン（ＭＯＤＥ  ＳＥＬＥＣＴ）をマニュアル（ＭＡＮＵＡＬ）モードに設定し、各ドライブユニット１１を指定して、オペレーションボタン（ＯＰＥＲＡＴＩＯＮ）で行うようになっている。複数のドライブユニット１１を同一のモードまたは異なるモードで作動させるには、ユニット指定ボタン（Ｕ−１，Ｕ−２，Ｕ−３）を同時に複数操作して行うことができる。
【００４４】
また、モード選択ボタン（ＭＯＤＥ  ＳＥＬＥＣＴ）によりオートモードとマニュアルモードが選択されるが、オートモードでは記録媒体１５をドライブユニット１１の挿入部に挿入すると、すべて自動的に動作し、マニュアルモードではドライブユニット１１の選択によりマニュアル動作を行うことができる。また、複数のドライブユニット１１を異なるモードで動作させることもできる。オートモードの開始はスタートボタン（ＳＴＡＲＴ）の操作により行われる。更に、記録再生操作用ボタン（ＯＰＥＲＡＴＩＯＮ）には、通常と同じ記号で示すように再生、早送り、巻戻し、停止等のボタンが設けられている。
【００４５】
更に具体的には、図２に示すオペレーションパネル９において、モード選択ボタン（ＭＯＤＥ  ＳＥＬＥＣＴ）をオートモード（ＡＵＴＯ）に設定した場合、Ｍ−１はパラレル記録、Ｍ−２はシリーズ記録、Ｍ−３はドライブユニット１１間の編集記録、Ｍ−４はパラレル再生をシステムとして構成するようになっている。また、モード選択ボタン（ＭＯＤＥ  ＳＥＬＥＣＴ）をマニュアルモード（ＭＡＮＵＡＬ）に設定した場合には、Ｕ−１，Ｕ−２，Ｕ−３のドライブユニット選択ボタンを操作することにより、個々のドライブユニット１１を操作することができ、また複数のドライブユニット選択ボタンを操作することにより複数のドライブユニット１１を同時に作動させることもできる。
【００４６】
図３は、本撮像装置の全体の構成を示す接続図である。同図に示すように、本撮像装置は、一点鎖線で囲んで示している前記３つのドライブユニット１１ａ，１１ｂ，１１ｃ、オペレーションパネル９、本撮像装置の全体の動作を制御するシステムコントローラ６１、カメラレンズ５、カメラヘッド６３、カメラコントロールユニット（以下、ＣＣＵと略称する）６５、バッテリ７、および該バッテリ７を補助するサブバッテリ６７等から構成されている。
【００４７】
ＣＣＵ６５は、カメラレンズ５を介してシステムコントローラ６１で撮像した画像信号の調整および設定、カメラレンズ５の調整、ビューファインダー３３の信号切り替え、カメラレンズ５およびカメラヘッド６３からなるカメラ部との音声、タリー表示等のコミュニケーション、カメラ部オペレータとの通信、カメラ部との結合および電源供給等を行う。
【００４８】
また、サブバッテリ６７はバッテリ７を交換する場合に本撮像装置を停止することなくバッテリ７の交換を行い得るようにバッテリ７の交換の間の補助バッテリとして設けられているものであり、バッテリ７によって本撮像装置に動作電力が供給されている通常の状態ではスイッチ８７がオフとなり、サブバッテリ６７は撮像装置に動作電力を供給せず、むしろダイオード８３を介してバッテリ７によって充電されている。なお、バッテリ７からの撮像装置に対する動作電力は、ダイオード８５、スイッチ８９、パワースイッチ６９を介してシステムコントローラ６１、ＣＣＵ６５、カメラヘッド６３等の各部に供給されるとともに、各ドライブユニット１１に対応して設けられたサブパワースイッチ８１ａ，８１ｂ，８１ｃを介して各ドライブユニット１１ａ，１１ｂ，１１ｃに供給されるようになっている。また、各部電源入力端子５１に外部電源を接続した場合には、この外部電源から外部電源入力端子５１、スイッチ８９，６９を介して撮像装置に動作電力が供給されるようになっている。なお、外部電源が接続された場合には、外部電源が優先するようになっている。
【００４９】
各ドライブユニット１１は、該ユニットの動作を全体的に制御するユニット制御部５５、および記録媒体１５を内蔵し、該記録媒体１５に対する駆動、記録、再生を行う記録／再生部５７から構成されている。
【００５０】
カメラレンズ５、カメラヘッド６３を介して撮像した被写体の画像信号は、ＣＣＵ６５を介してカメラ信号出力端子４７から外部に出力されるとともに、またカメラヘッド６３を介して各ドライブユニット１１ａ，１１ｂ，１１ｃの記録／再生部５７に並列に供給され、各ドライブユニット１１に記録されるようになっている。各ドライブユニット１１ａ，１１ｂ，１１ｃにおいて記録媒体１５から再生した画像信号は、各ドライブユニット１１の記録／再生部５７から出力され、自分を除く他のドライブユニット１１ａ，１１ｂ，１１ｃに並列に供給されている。また、各ドライブユニット１１ａ，１１ｂ，１１ｃの記録／再生部５７には前記ビデオ入力端子４５から外部のビデオ入力信号が供給されている。
【００５１】
更に、図３において点線で示すように、ビデオ信号処理ユニット９９がオプションとしてドライブユニット１１ａ，１１ｂに接続され得るように構成されているが、このビデオ信号処理ユニット９９はドライブユニット１１ａの記録／再生部５７で再生された画像信号を画像処理して、ドライブユニット１１ｂの記録／再生部５７に供給し、該ドライブユニット１１ｂの記録媒体１５に記録し得るようになっている。
【００５２】
また、図３において、図１（ａ）で説明したシステムリモコン入力端子４９には、対応してシステムリモコン入力端子１４９が設けられ、該システムリモコン入力端子１４９はシステムリモコン９１に接続され得るようになっている。従って、該システムリモコン９１からシステムリモコン入力端子１４９，４９を介してシステムコントローラ６１に制御信号やシステム情報等を入力することにより、本撮像装置のシステムを変更することができる。
【００５３】
更に、図３に示す各ドライブユニット１１ａ，１１ｂ，１１ｃのユニット制御部５５には図１（ｂ）で説明した前記ユニット制御端子２３が接続され、該ユニット制御端子２３には対応したユニット制御端子７９ａ，７９ｂ，７９ｃをそれぞれ介してユニットリモコン９３ａ，９３ｂ，９３ｃが接続され得るようになっている。従って、これらのユニットリモコン９３から各ドライブユニット１１に制御信号および情報等を入力することにより、各ドライブユニット１１を制御することができるようになっている。
【００５４】
図４は、図３に類似した本撮像装置の全体の構成を示す接続図であるが、図３に示した接続関係に加えて、特にカメラヘッド６３に付随するステレオ形式のマイクロホン９５Ｒ，９５Ｌと図１で示した前記オーディオ入力端子４１との接続関係を示している。すなわち、マイクロホン９５Ｒ，９５Ｌからの音声入力信号とオーディオ入力端子４１からのオーディオ入力信号はスイッチ９６を介していずれか一方が各ドライブユニット１１ａ，１１ｂ，１１ｃに供給されるようになっている。なお、このスイッチ９６はシステムコントローラ６１によって点線で示すように制御されるようになっている。
【００５５】
各ドライブユニット１１ａ，１１ｂ，１１ｃの内部構成は、図５に示すように、前記ユニット制御部５５および記録／再生部５７に加えて、図１（ｂ）で説明した蓋部１７の開閉を検出するリッド検出スイッチ７５、記録媒体１５を取り出すイジェクトスイッチ７７、ビデオ入力切り替えスイッチ７１、オーディオ入力切り替えスイッチ７３、ユニット制御端子２３、図１（ｂ）で説明したビデオ入力端子２５、ビデオ出力端子２７、オーディオ入力端子２９、オーディオ出力端子３１、記録／再生部５７からの画像信号およびオーディオ信号をそれぞれ外部または装置内部に出力するかを切り替えるビデオ出力切り替えスイッチ１０１およびオーディオ出力切り替えスイッチ１０３を有する。
【００５６】
なお、本実施形態では、これらスイッチは各ドライブユニット１１に設けられているものとして説明するが、撮像装置の本体部１側に設けても良いのは言うまでも無いことである。
【００５７】
各ドライブユニット１１に設けられているビデオ入力切り替えスイッチ７１およびオーディオ入力切り替えスイッチ７３は、それぞれビデオ入力信号およびオーディオ入力信号について外部からの信号、他の２つのドライブユニット１１からの信号、ＣＣＵ６５を介してカメラヘッド６３からの信号からなる４つの信号のうちのいずれを入力するかを選択するための切り替えスイッチである。すなわち、ビデオ入力切り替えスイッチ７１およびオーディオ入力切り替えスイッチ７３は、共通接点Ｒおよび個別接点Ｅ，Ｄａ，Ｄｂ，Ｃを有するが、個別接点Ｅには外部（Ｅｘｔｅｒｎａｌ）からの信号が入力され、個別接点Ｄａ，Ｄｂには他の２つのドライブユニット１１からの出力信号が入力され、個別接点ＣにはＣＣＵ６５を介してカメラヘッド６３およびマイクロホン／オーディオ入力からの信号が入力されるようになっている。そして、共通接点Ｒを個別接点Ｅ，Ｄａ，Ｄｂ，Ｃのいずれかに選択的に接続することにより、各ドライブユニット１１の記録／再生部５７は外部からの信号、他の２つのドライブユニット１１からの信号またはカメラヘッド６３からの信号（オーディオ信号についてはマイクロホン９５Ｒ，９５Ｌまたはオーディオ入力端子４１からのオーディオ信号）のいずれかを選択し、記録媒体１５に記録することができる。
【００５８】
各ドライブユニット１１は、前記サブパワースイッチ８１を介して動作電力をバッテリ７またはサブバッテリ６７から供給されるようになっているが、このサブパワースイッチ８１はドライブユニット１１ａ，１１ｂ，１１ｃが挿入されたことを検出して作動するようになっている。すなわち、ドライブユニット１１が本撮像装置に装着された場合のみ該ドライブユニット１１に動作電力が供給されるとともに、該サブパワースイッチ８１によってドライブユニット１１が挿入されたことが検出されることにより、該ドライブユニット１１は本撮像装置に組み込まれ、制御されるようになっている。
【００５９】
具体的には、本撮像装置に動作電力を供給可能な状態において、電源スイッチ３９をオンにし、ドライブユニット１１を本体部１に装着すると、サブパワースイッチ８１がドライブユニット１１の装着を検出し、バッテリ７または外部電源からの電力を該ドライブユニット１１に供給できる状態になる。システムコントローラ６１はドライブユニット１１の挿入を検出し、即時にまたは時間をおいてドライブユニット１１への動作電力の供給を可能にする。このドライブユニット検出信号はシステムを構成する場合の情報としても入力され、システム構成の可否をも決定する。各ドライブユニット１１の検出はオペレーションパネル９のユニット検出ランプ（ＵＮＩＴ  ＤＥＴＥＣＴ）に表示される。オペレーションパネル９では、各ドライブユニット１１が挿入されない状態でも、または各ドライブユニット１１が挿入された状態でもモード選択ボタン（ＭＯＤＥ  ＳＥＬＥＣＴ）がオートの状態ではモードの選択が可能になっている。
【００６０】
また、各ドライブユニット１１の挿入前にモードを選択した場合には、各ドライブユニット１１が挿入されると、その度にまたはすべてのドライブユニット１１が挿入された時点で、選択されたシステムに必要なセッティングが行われる。各ドライブユニット１１に対して記録媒体１５の装填がある場合は、該記録媒体１５の巻戻し等の必要な処理が自動的に行われる。各ドライブユニット１１の状態がシステム構成可能状態になると、オペレーションパネル９のスタートボタン（ＳＴＡＲＴ）が操作可能になる。
【００６１】
オートモード（ＡＵＴＯ）において、Ｍ−１のパラレル記録が選択された場合には、ドライブユニット１１の入力信号はビデオ入力切り替えスイッチ７１によりカメラヘッド６３からの出力またはビデオ入力端子２５からの外部入力に切り替え可能である。オペレーションパネル９を介してカメラヘッド６３からの信号かまたは外部からの信号かが選択される。また、Ｍ−１のパラレル記録を選択した場合、各ドライブユニット１１の入力は自動的に上述したように選択された入力に接続される。従って、このモードでは各ドライブユニット１１はすべて同一の信号を同時に記録する。そして、スタートボタンを操作すると、各ドライブユニット１１が記録スタンバイの状態になり、メイントリガースイッチ３５を操作することにより記録が開始される。また、各ドライブユニット１１からは常に各ドライブユニット１１の状態をシステムコントローラ６１に伝達している。この内容は記録媒体１５の有無、記録媒体１５の記録可能残時間、動作を停止せざるを得ない場合の状態等である。
【００６２】
また、各ドライブユニット１１において、記録媒体１５がイジェクト可能になると、各ドライブユニット１１は記録媒体１５のイジェクト可能状態に移行する。記録媒体１５をカバーしている蓋部１７は、このようなイジェクト可能状態で開放可能になっており、その状態はシステム的にまたはオペレーションパネル９上の指令により行われる。記録媒体１５をドライブユニット１１から取り出す場合には、蓋部１７を開放し、該蓋部１７の内部に設けられているイジェクトボタン２１を操作し、これにより記録媒体１５をドライブユニット１１から取り出すことができる。記録媒体１５のイジェクト途中において、蓋部１７を閉じた場合には、イジェクト動作を中止し、記録媒体１５の装填モードに移行する。どのような場合でも記録媒体１５が蓋部１７を押し開けて、不用意に飛び出すことがないようになっている。記録媒体１５の装填は手動により行われるが、蓋部１７を閉めることによっても可能である。
【００６３】
図６は、上述した構成の撮像装置において第３番目のドライブユニット１１ｃを取り除き、この代わりにＲＥＣコントロールユニット１０５を装着するとともに、該ユニット１０５およびユニット制御部５５に対して外部に例えばＰＣ等からなる編集用周辺機器１０７を接続し、これにより編集を行い得るように構成したものである。すなわち、編集用周辺機器１０７からＲＥＣコントロールユニット１０５を介してドライブユニット１１ａ，１１ｂ、システムコントローラ６１、ＣＣＵ６５に種々の制御信号を入力することにより各種編集処理等を自在に行うことができる。また、本撮像装置のシステム設定も編集用周辺機器１０７を介して外部から行うこともできる。なお、カードを使用して、システム設定変更、各種編集処理等を行うこともできる。
【００６４】
また、各ドライブユニット１１は、本撮像装置の本体部１に組み込まれて、システムとして作動し得る以外に、ユニット制御端子２３を介して外部から外部リモートコントローラによりユニット制御部５５を制御することによりドライブユニット１１単体で動作し、記録／再生装置として作動することも可能である。
【００６５】
次に、図７および図８を参照して、以上のように構成された本実施形態の具体的作用について説明する。
【００６６】
図７（ａ）は、２台のドライブユニット１１ａ，１１ｂに対して、カメラヘッド６３からの画像信号をＣＣＵ６５を介して同時に記録するパラレル記録の場合を示している。このパラレル記録は、上述したように、例えばモード選択ボタン（ＭＯＤＥ  ＳＥＬＥＣＴ）をオートモード（ＡＵＴＯ）に設定し、Ｍ−１を選択することにより達成される。この処理では、ドライブユニット１１ａ，１１ｂのそれぞれのビデオ入力切り替えスイッチ７１およびオーディオ入力切り替えスイッチ７３は共通接点Ｒが個別接点Ｃに接続されるように切り替え制御され、カメラからの同じ画像信号が２つのドライブユニット１１ａ，１１ｂに同時に記録され、所謂ダビングを自動的に取ることができるものである。なお、パラレル記録は２台のドライブユニット１１に限るものでなく、３台のドライブユニット１１で行うことも可能であることは勿論である。
【００６７】
図７（ｂ）は、２台のドライブユニット１１ａ，１１ｂを使用し、最初に一方のドライブユニット１１にのみカメラからの記録を行い、該一方のドライブユニット１１への記録が完了すると、次に他方のドライブユニット１１に対してカメラからの記録を行うというように順次記録を行うシリーズ記録の場合を示している。なお、シリーズ記録も２台のドライブユニット１１に限るものでなく、３台のドライブユニット１１で行うことも可能であることは勿論である。
【００６８】
このシリーズ記録は、モード選択ボタン（ＭＯＤＥ  ＳＥＬＥＣＴ）でＭ−２が選択され、各ドライブユニット１１のビデオ入力切り替えスイッチ７１およびオーディオ入力切り替えスイッチ７３のそれぞれの共通接点Ｒが個別接点Ｃに接続されている場合であり、上述したＭ−１の場合と同様に各ドライブユニット１１の入力は自動的に選択された入力に接続される。この処理では、まず第１に稼働するドライブユニット１１が記録動作可能状態に制御され、他のドライブユニット１１はシステムコントローラ６１から指令があった場合にすぐにまたは一定時間をおいて記録動作可能状態になる。なお、消費電力を抑えるために、最初に稼働したドライブユニット１１以外のユニットは電源供給を遮断されるように構成することも可能である。
【００６９】
上述したように、最初に稼働したドライブユニット１１がメイントリガースイッチ３５の操作によりカメラからの入力信号を自己の記録媒体１５に記録し、該ドライブユニット１１の記録媒体１５への記録可能領域の終わりに近づくと、ドライブユニット１１からシステムコントローラ６１に対してその旨が伝達され、システムコントローラ６１は該信号を受けて、次に稼働するドライブユニット１１に対して記録動作可能状態にするような指令信号を供給する。なお、この場合、待機状態にあったドライブユニット１１に対する電力供給を停止していた場合には、この電力供給を行う指令も出力する。前記記録可能領域の予め定められた領域に入ると、次に稼働するドライブユニット１１はメイントリガースイッチ３５の動作により記録を開始する。記録を行うドライブユニット１１の切り替えは、記録動作を両ドライブユニット１１で同時に行うオーバーラップ記録の場合と完全にシリーズ動作を行う場合にいずれかを選択することができる。
【００７０】
最初に稼働したドライブユニット１１が記録を終了すると、該ドライブユニット１１は記録媒体１５を外部に排出できる状態にして停止する。この場合の電源の供給はその状態で遮断することも継続することも可能である。この状態で該ドライブユニット１１の記録媒体１５の交換を行うことができるので、ドライブユニット１１の蓋部１７を開放し、この蓋部１７の内部にあるイジェクトボタン２１を操作することにより記録媒体１５を取り出すことができるとともに、更に新しい記録媒体１５を引続き挿入することができる。
【００７１】
新しい記録媒体１５が挿入されると、該記録媒体１５は自動的に初期化される。そして、次に稼働されたドライブユニット１１の記録媒体１５が記録可能領域の終わりに近づくと、上述したと同様の状態になり、同様にドライブユニット１１の切り替えが行われる。このような一連の動作を繰り返し行うことにより、電源供給可能な限り、記録を継続することができる。なお、バッテリ７の容量が不足してきた場合には、サブバッテリ６７からの電力供給を行い、この間にバッテリ７を新しいバッテリと交換することにより、装置の動作を停止することなく、記録動作を継続することができる。
【００７２】
図７（ｃ）は、２台のドライブユニット１１ａ，１１ｂ間における編集記録処理を示している。一方のドライブユニット１１ａを編集機として記録用に設定し、他方のドライブユニット１１ｂを編集ソース機として再生用に設定し、ドライブユニット１１ｂで再生した画像信号を編集しながらドライブユニット１１ａに記録しているものである。このドライブユニット間編集記録処理は、モードボタンＭ−３を選択することにより行われる。編集の具体的方法としては、システムリモコン入力端子４９に編集用リモコンを接続し、編集機にドライブユニット１１のモードおよび入力信号切り替え、編集ソース機に設定されるドライブユニット１１のモード切り替え等の編集に必要な処理を行う。外部に信号処理ユニットを設置した場合は、再生信号のみでなく、再生信号を加工した信号の編集も可能である。
【００７３】
図７（ｄ）は、図７（ｃ）に示したドライブユニット１１ａ，１１ｂ間における編集記録処理においてドライブユニット１１ａにＣＣＵ６５を介したカメラヘッド６３からの画像信号も編集信号として扱えるようにドライブユニット１１ａに入力しているものであり、このようにカメラヘッド６３からの画像信号も編集時に記録し得るように構成することにより多彩な編集処理を行うことができる。
【００７４】
図７（ｅ）は、モード選択においてＭ−４を選択して設定されるパラレル再生処理を示しているものである。このパラレル再生では、ＣＣＵ６５を介したカメラヘッド６３からの画像信号、ドライブユニット１１ａ，１１ｂで再生された画像信号の３つの再生信号を出力している。なお、このパラレル再生においては、オペレーションパネル９でドライブユニット１１を選択することにより、一部のドライブユニット１１のみを作動させたり、またはすべてのドライブユニット１１を作動させるようにすることもできる。このモードにおいて、各ドライブユニット１１の再生信号は各ドライブユニット１１の信号出力端子であるビデオ出力端子２７およびオーディオ出力端子３１から出力される。従って、ドライブユニット１１ａ，１１ｂ，１１ｃの３台を同時に作動させた場合には、カメラヘッド６３からの出力画像信号も含めて、４つの画像再生信号を出力することができる。この状態では、各ドライブユニット１１を選択することにより、各ドライブユニット１１を個別に動作させることも可能である。
【００７５】
図７（ｆ）は、異種信号パラレル記録を示している。この異種信号パラレル記録では、例えばカメラヘッド６３から通常の画像信号と高画質のスチル画像信号の２種類の異なる画像信号を出力し、一方の画像信号、例えば通常の画像信号をドライブユニット１１ａに入力して記録し、他方の画像信号、例えばスチル画像信号をドライブユニット１１ｂに入力して記録している。
【００７６】
図７（ｇ）は、図７（ｆ）と同様な異種信号パラレル記録であるが、この異種信号パラレル記録では、異種信号として通常の画像信号と倍速度画像信号をカメラヘッド６３から出力し、通常の画像信号をドライブユニット１１ａに記録し、倍速度画像信号をドライブユニット１１ｂに記録している。
【００７７】
図７（ｈ）は、倍速度シリーズ記録であり、図７（ｂ）に示したシリーズ記録において倍速度の画像信号をシリーズ記録方式でドライブユニット１１ａ，１１ｂに順次記録するようにしているものである。
【００７８】
図７（ｉ）は、スロー再生信号編集処理を示している。この処理では、ドライブユニット１１ｂにおいて記録媒体１５をスロー再生し、このスロー再生された画像信号を編集しながらドライブユニット１１ａに記録している。
【００７９】
図７（ｊ）は、外部信号パラレル記録処理を示している。この処理では、ドライブユニット１１ａでＣＣＵ６５を介してカメラヘッド６３からの画像信号を記録し、ドライブユニット１１ｂにおいて外部信号を記録するようにしている。
【００８０】
上述した図７においては、一例として、２台のドライブユニット１１を使用した場合について説明しているが、２台に限るものでなく、３台以上でも可能である。
【００８１】
次に、図８を参照して、本撮像装置の更に別の種々の使用方法について説明する。まず、図８（ａ）は、３信号編集記録処理を示しており、ＣＣＵ６５を介したカメラヘッド６３からの画像信号、ドライブユニット１１ｂからの画像信号、およびドライブユニット１１ｃからの画像信号の３つの画像信号をドライブユニット１１ａに入力して記録するようにしている。
【００８２】
図８（ｂ）は、ドライブユニット再生画ミックス記録処理を示しており、ドライブユニット１１ｂでスロー再生した画像信号とドライブユニット１１ｂでスロー再生した画像信号をそれぞれディスプレイパネル１１１ｂ，１１１ｃで表示し、これらのディスプレイパネル１１１ｂ，１１１ｃに表示された画像をカメラヘッド６３で撮像し、ＣＣＵ６５を介してドライブユニット１１ｂに入力して記録するようにしているものである。
【００８３】
図８（ｃ）は、タイムラプス記録処理を示しているが、これはイメージとしては例えばディスク記録、テープアーカイプに相当する処理である。すなわち、この処理では、ＣＣＵ６５を介したカメラヘッド６３からの画像信号をドライブユニット１１ａ，１１ｂに記録するとともに、これらのドライブユニット１１ａ，１１ｂから再生された画像信号をドライブユニット１１ｃに入力して記録するようにしている。
【００８４】
図８（ｄ）は、信号の加工編集記録処理を示している。すなわち、３台のドライブユニット１１ａ，１１ｂ，１１ｃのうち、３台目のドライブユニット１１ｃを取り除き、代わりにイフェクターを装着し、このイフェクターにＣＣＵ６５を介したカメラヘッド６３からの画像信号とドライブユニット１１ｂで再生された画像信号を入力し、これらの画像信号をイフェクターで加工しながら編集して、ドライブユニット１１ａに入力して記録するようにしている。
【００８５】
図８（ｅ）は、編集データの一時記録処理を示している。すなわち、３台のドライブユニット１１ａ，１１ｂ，１１ｃのうち、３台目のドライブユニット１１ｃを取り除き、代わりに例えばメモリカード等を装着し、このメモリカードに編集データを一時的に記録するようにしている。
【００８６】
図８（ｆ）は、システムボードによるシステム変更処理を示している。この処理では、３台のドライブユニット１１ａ，１１ｂ，１１ｃのうち、３台目のドライブユニット１１ｃを取り除き、この代わりにシステムボードを装着し、このシステムボードからシステムコントローラ６１を制御して、本撮像装置のシステムを変更し、この変更情報をシステムコントローラ６１から各ドライブユニット１１のユニット制御部５５に入力し、各記録／再生部５７の処理機能を変更し得るようにしている。
【００８７】
上述したように、本実施形態の撮像装置は、複数のドライブユニット１１を使用して、信号のパラレル記録、シリーズ記録、ドライブユニット間の編集記録、カメラ信号を含めた編集記録、パラレル再生、異種信号のパラレル記録、カメラ信号と外部信号のパラレル記録等のような種々の記録、再生、編集処理を行うことができる。これらはすべてシステムコントローラ６１による各ドライブユニット１１の制御により実現されているが、システムコントローラ６１自身も外部からのシステムリモコン９１により制御され得るものであり、更に場合によっては動作システム自体も制御して、システムの変更も可能である。また、ドライブユニット１１の代わりにドライブユニットコントロールユニット、イフェクタ、システムボード等を搭載して、これらの搭載したユニットによるシステム動作を行うこともできる。
【００８８】
また、本実施形態では、３台のドライブユニット１１を有する場合について説明したが、ドライブユニット１１の数はこれに限定されるものではない。また、上記説明等では、画像信号について説明したが、この画像信号には当然オーディオ信号等も付随するものであるが、説明の簡略化のために省略した部分も多々あることを理解されたい。
【００８９】
【発明の効果】
以上説明したように、請求項１記載の本発明によれば、モード選択ボタンでマニュアルモードを選択した場合には、ユニット指定ボタンにより作動させたい所望の記録／再生ユニットを指定することができる。一方、モード選択ボタンでオートモードを選択した場合には、パラレル記録用ボタンにより複数の記録／再生ユニットをパラレル記録させるか、シリーズ記録用ボタンにより複数の記録／再生ユニットをシリーズ記録録させるか、編集記録用ボタンにより複数の記録／再生ユニット間を編集記録させるかを選択できるので、使用勝手の良い撮像装置を提供することができる。
【図面の簡単な説明】
【図１】本発明の一実施形態に係る複数の記録／再生ユニットを有する撮像装置および該撮像装置に使用されるドライブユニットの構成を示す斜視図である。
【図２】図１に示す撮像装置に使用されているオペレーションパネルの構成を示す平面図である。
【図３】図１に示す撮像装置の全体の構成を示す接続図である。
【図４】図３に類似した撮像装置の全体の構成を示す接続図である。
【図５】図１に示す撮像装置に使用されているドライブユニットの回路構成を示す図である。
【図６】図１に示す撮像装置において１つのドライブユニットの代わりにコントロールユニットを挿入した場合の構成を示す図である。
【図７】図１に示す撮像装置の作用を説明するためのドライブユニットの種々の組み合わせを示す説明図である。
【図８】図１に示す撮像装置の作用を説明するためのドライブユニットの別の種々の組み合わせを示す説明図である。
【符号の説明】
１  本体部
３  制御部
５  カメラレンズ
７  バッテリ
９  オペレーションパネル
１１  ドライブユニット
１５  記録媒体
１７  蓋部
５５  ユニット制御部
５７  記録／再生部
６１  システムコントローラ
６３  カメラヘッド
６５  ＣＣＵ
６７  サブバッテリ
７１  ビデオ入力切り替えスイッチ
７３  オーディオ入力切り替えスイッチ
７５  リッド検出スイッチ
７７  イジェクトスイッチ
【図１】
0003627504.tif 000002
【図２】
0003627504.tif 000003
【図３】
0003627504.tif 000004
【図４】
0003627504.tif 000005
【図５】
0003627504.tif 000006
【図６】
0003627504.tif 000007
【図７】
0003627504.tif 000008
【図８】
0003627504.tif 000009